(57)【要約】【課題】  固定金具を簡単に、かつ安全に取付けられると共に、作業者が落下し、固定金具に衝撃荷重が加わった際に、軒先の瓦・樋等の損傷を防止する固定金具を提供することである。【解決手段】  垂下アーム３上部先端部に、くの字状のリンク31の屈曲部を回動自在に軸止32して設け、該リンク31の一端にロッド33の基端を回動自在に軸止34して設け、該ロッド33先端を下部アーム２基端に回動自在に軸止35して設け、リンク31端に設けた親綱Ｒが引かれることにより、くの字状のリンク31が回動し、ロッド33を下方に押し下げ、下部アーム２先端を上部アーム１方向へ回動する構造を有する。【選択図】        図１
2005113390.tif 000002
【特許請求の範囲】
【請求項１】
上部アーム１と、下部アーム２とを連結する垂下アーム３とで略コ字状枠を形成し、上部アーム１基端部は、スライド金具４を垂下アーム３に嵌合し、該スライド金具４を上下移動可能に設け、該スライド金具４の先端部にアーム取付金具５を回動自在に軸止５３して角度調節部を設け、下部アーム２基端部は、垂下アーム３の下端に回動自在に軸止２２して設け、上部アーム１と下部アーム２にそれぞれ押えバー１１，２１を設け、屋根の軒先を挟持する軒先固定金具において、垂下アーム３上部先端部にくの字状のリンク３１を回動自在に軸止３２して設け、該リンク３１の一端にロッド３３の基端を回動自在に軸止３４して設け、該ロッド３３先端を下部アーム２基端に回動自在に軸止３５して設け、リンク３１端に設けた親綱Ｒが引かれることにより、リンク３１が回動し、ロッド３３を下方に押し、下部アーム２先端を上部アーム１方向へ回動する構造を備えたことを特徴とする軒先固定金具。
【発明の詳細な説明】
【技術分野】
【０００１】
本願は、低層住宅の屋根上での作業者の墜落災害を防止するため、屋根上に設置する親綱の端部を取付ける軒先固定金具に関するものである。
【背景技術】
【０００２】
以前より、屋根に取付ける固定金具として、特開平１０−１５０９３号，特開平１０−１４６３９７号公報に開示されたものがある。
【０００３】
前者の特開平１０−１５０９３号公報には、下部アームの後端部に柱部の下端部を連結し、柱部に沿って昇降自在に支持され、ボルトとナットの締付けによって高さ調整位置で固定される上部アームの先端部に親綱連結用の連結軸を取付け、上部アームの先端部にねじ係合されて上下方向に移動可能なねじ軸の下端に可動パッドを固定し、その可動パッドと下部アームとで切り妻屋根の妻部を上下から挾持して親綱支持具を固定し、切り妻屋根の両側妻部に固定された親綱支持具間に親綱をかけ渡して緊張させるものが開示されている。
【０００４】
後者の特開平１０−１４６３９７号公報には、屋根の下側に配置する下部アームを、傾斜位置調節手段を介して本体アームの下部に固定し、下部アームの先端に屋根の下側に当接する下面当接部材を固定し、屋根の上側に配置する上部アームを、本体アームの上部に上下位置調節手段を介して固定し、上部アームの先端には上面当接部材を移動自在に有し屋根を押し付ける押圧手段を設け、屋根の傾斜と厚みに合わせて、下部アームの傾斜位置と上部アームの上下位置を調節手段によりそれぞれ固定し、下部当接部材を屋根の下面に当接させ、下部アームを鼻隠し部に当接させ、上部アームを屋根の上側に配置して、押圧手段を締め付けるものが開示されている。
【特許文献１】特開平１０−１５０９３号公報
【特許文献２】特開平１０−１４６３９７号公報
【発明の開示】
【発明が解決しようとする課題】
【０００５】
ところで、上記公報に開示された親綱支持具は、切り妻屋根の両側妻部に取付けるものであり、親綱張設用具は、屋根の軒先に取付けるものであるが、どちらも落下時に加わる高衝撃荷重に対しての対応が何も示されていない。
従来は作業者が落下し、金具に高衝撃荷重が加わり、金具が移動して軒先の瓦や樋が破損した場合には、その破損箇所を修理することで対処していた。
しかし、破損箇所が軒先の一部分だけではなく、転げ落ちた箇所の瓦の損傷等があれば、修理費も大きな金額となるもので、万が一の落下に対処した金具の開発の要望が出てきた。
【０００６】
この考案の課題は、固定金具を簡単に、かつ安全に取付けられると共に、作業者が落下し、固定金具に衝撃荷重が加わった際には、固定金具の移動を防止し、軒先の瓦・樋等の破損を防止する固定金具を提供することである。
【課題を解決するための手段】
【０００７】
本願は、上記したように、落下時に受ける高衝撃荷重を分散し、瓦および樋の破損を防止するものである。
具体的には、上部アームと、下部アームとを連結する垂下アームとで略コ字状枠を形成し、上部アーム側に長さ調節機構と角度調節機構を設け、上部アームと下部アームにそれぞれ押えバーを設け、屋根の軒先を挟持する軒先固定金具において、垂下アーム上部先端部にくの字状のリンクを回動自在に設け、該リンクの一端にロッドの基端を回動自在に設け、該ロッド先端を下部アーム基端に回動自在に設け、リンク端に設けた親綱が引かれることにより、リンクが回動し、ロッドを下方に押し下げ、下部アーム先端を上部アーム方向へ回動する構造を備えたものである。
【発明の効果】
【０００８】
以上のように、本願の軒先固定金具を設置する箇所は、高所作業と言っても梯子を２メートル程度上った一階の軒先に取付け、その先端部のリンクに親綱をカラビナを介して緊張固定するだけであり、危険な高所作業も無いに等しく安全に作業が行える。
また、屋根上作業時に作業者が落下（転落・滑落）しても、張設したベルト状あるいはロープ状の親綱により、確実に引き止められて重大事故が発生するようなことは無い。
また、本金具は、落下時には下部アームの先端が上部方向へ回動し、軒先を挟み、金具が軒先を移動することがなく、瓦や樋の破損を防止するものである。
【実施例】
【０００９】
本願実施例を詳記すると、
本願は、図に示すように、上部アーム１、下部アーム２とを連結する垂下アーム３とで略コ字状枠を形成し、上部アーム１は、垂下アーム３にスライド金具４を介して嵌合し、該スライド金具４を上下移動可能に設け、該スライド金具４の突出部にアーム取付金具５を回動自在に軸止５３して角度調節可能に設け、下部アーム２基端部は、垂下アーム３下端に回動自在に軸止２２して設け、上部アーム１と下部アーム２にそれぞれ押えバー１１，２１を設け、屋根の軒先を挟持する軒先固定金具において、垂下アーム３上部先端部にくの字状のリンク３１の屈曲部を回動自在に軸止３２して設け、該リンク３１の一端にロッド３３の基端を回動自在に軸止３４して設け、該ロッド３３先端を下部アーム２基端に回動自在に軸止３５して設け、リンク３１端に設けた親綱が引かれることにより、リンク３１が回動し、ロッド３３を下方に押し、下部アーム２先端を上部アーム１方向へ回動する構造を有するものである。
【００１０】
本願上部アーム１側に、垂下アーム３にスライド金具４を嵌合し、上下移動可能とし、スライド金具４に設けたロックピン４１を、垂下アーム３の側面に等ピッチで設けたロック穴３６に嵌合し、下部アーム２との距離を調節する長さ調節機構を設けたものである。
ロックピン４１は、バネに抗してツマミを引き出し９０度回動すれば、筒部に当接すると共に、ロック穴３６からロックピンが引き出され、スライド金具４は上下移動可能になるものである。
【００１１】
また、スライド金具４の突出部に、アーム取付金具５の基端部を回動自在に軸止５３して設け、該スライド金具４とアーム取付金具５に設けた角度調節穴４２，５２に貫通ピン５１を貫通して、上部アーム１の角度を変える角度調節機構を設けたものである。
【００１２】
また、上部アームの押えバー１１は、上部アーム１にナットを溶着して設け、該ナットに締付ボルト１２を螺入し、先端に回動自在に設けたもので、大きな移動は、長さ調節機構のロックピン４１の差替えで行い、小さな移動は締付ボルト１２によって行い、押えバー１１，２１で軒先を強固に固定するものである。
また、押えバー１１，２１は、上部アーム側は屋根上面の瓦に４点接触し、下部アーム側は２本の垂木に接触するものであり、落下時の高衝撃荷重の分散効果は高い。
【００１３】
本願は、従来品と同じく、軒先の厚みに合わせて上部アーム１と下部アーム２間の長さ調節機構はもちろん、屋根の勾配に合わせて上部アーム側に角度調節機構を備えると共に、図４のように、上部アーム１の押えバー１１は回動自由であると共に、下部アーム２の押えバー２１を回動し、回動収納可能として突出部を無くし、嵩を低くして持ち運び、上げ下ろしが簡単にできるようにしたものである。
【００１４】
また、番号４３は、軒先からの工具・ゴミの落下防止のため、軒先部に張るネットのポール受けである。ネットを張る場合は、本願の軒先固定金具を複数個取付けて行うものである。
【００１５】
具体的な本軒先固定金具の設置手順を以下に記述する。
まず、作業を行う家屋の縦断方向の大きさと作業を行うポイントを考慮し、本軒先固定金具の設置位置を決める。
続いて、取付け位置に梯子を立て掛け、軒先まで持ち手環４４，５４を持って昇り、軒先の表面の瓦またはトタン板から裏面の垂木及び表面仕上材を含んだ全体を保護用ゴム板を設けた押えバー１１，２１を９０度回動して当てがい、長さ調節部のロックピン４１を抜き、スライド金具４を移動し、再びロックピン４１を適当な穴３６に嵌合し、締付ボルト１２を締め付けて固定し、設置は完了する。
続いて、親綱Ｒの両端部をカラビナ等を介してリンク３１に掛止し、親綱の緊張器により張設固定を行なうものである。
なお、本願の軒先固定金具は、軒先はもちろん、切り妻の両側妻部に取付けて使用することも可能である。
【００１６】
本願の軒先固定金具は、落下して親綱が引かれ垂下アームの上端部に力が加わると、上部アーム側の押えバーは下部方向（瓦）に押し付けられるようになり、コ字状枠が開く格好になり、下部アーム側の押えバーの当接があまくなろうとするが、垂下アーム先端部のリンクが内蔵したロッドを押し下げ、下部アーム先端を上部アーム方向へ回動し、押えバーが垂木を押圧するように働き、挾持状態を保持固定するものである。
よって、固定金具が移動せず、瓦・樋を破損することがない。
【図面の簡単な説明】
【００１７】
【図１】本願軒先固定金具の斜視図。
【図２】本願軒先固定金具の上部アーム基端部の拡大図。
【図３】本願軒先固定金具の垂下アームを切欠したところの正面図。
【図４】本願軒先固定金具の押えバー収納状態正面図。
【図５】本願軒先固定金具の取付け状態図。
【符号の説明】
【００１８】
１  上部アーム
11  押えバー
12  締付ボルト
２  下部アーム
21  押えバー
22  軸止
３  垂下アーム
31  リンク
32，34，35  軸止
33  ロッド
36  ロック穴
４  スライド金具
41  ロックピン
42  角度調節穴
43  ポール受け
44  持ち手環
５  アーム取付金具
51  貫通ピン
52  角度調節穴
53  軸
54  持ち手環
Ｒ  親綱
【図１】
2005113390.tif 000003
【図２】
2005113390.tif 000004
【図３】
2005113390.tif 000005
【図４】
2005113390.tif 000006
【図５】
2005113390.tif 000007